(57)【要約】【課題】孟宗竹などを格子状に組んだ筏の格子部を針金で縛るときに、大きな力を必要とせず、また迅速に固縛作業を進めることができる固縛工具を提供する。【解決手段】しの工具１７を回転させ牡蠣筏の竹を針金で縛る牡蠣筏固縛工具１であって、手動レバー３を回動させることにより、レバー歯車５を介して本体歯車７を回転させ、本体歯車７の一方向の回転運動が可動爪を介してラチェット歯車１１に伝えられ、このとき固定爪により逆回転が防止され、ラチェット歯車１１に取り付けられたしの工具取付具１５を一方向に回転させ、しの工具取付具１５に取り付けられているしの工具１７を回転させ、回転するしの工具１７で孟宗竹１９の格子部に取り付けられた針金２１を巻き付け強固に縛る。【選択図】図１
2012101323.tif 000002
【特許請求の範囲】
【請求項１】
しの工具を回転させ筏の格子状部を針金で縛る筏用の固縛工具であって、
中央部に回転軸の軸受部を有する上部保持板と、
中央部に回転軸の軸受部を有し、前記上部保持板の下部に所定の間隔を持って取り付けられた下部保持板と、
前記２つの軸受部に回転自在に嵌り込み、中心部を針金が挿通する貫通孔を備えるパイプ状の回転軸と、
前記回転軸と一体的に回転するラチェット歯車と、
前記回転軸に回転自在に嵌め込まれた本体歯車と、
前記本体歯車の一方向の回転運動を前記ラチェット歯車に伝える可動爪と、
前記ラチェット歯車の前記回転方向と逆方向の回転を防止する固定爪と、
前記本体歯車と噛み合い前記本体歯車を回転させるレバー歯車と、
前記上部保持板に回動自在に取り付けられ前記レバー歯車を正逆方向に回転させる手動レバーと、
前記下部保持板の下方で前記回転軸に固定され回転軸と一体的に回転する、しの工具を取り付けるためのしの工具取付具と、
前記上部保持板及び前記下部保持板の側方に設けられたハンドルと、
前記ハンドルの後端に設けられた押え具と、
前記上部保持板の上方に突出する針金を挟む針金把持具と、
を備えることを特徴とする固縛工具。
【請求項２】
さらに先端に向って細くなったテーパ部と前記テーパ部の先端に設けられた同一の太さの円柱部とを有する、前記しの工具取付具に取り付け使用するしの工具を備えることを特徴とする請求項１に記載の固縛工具。
【請求項３】
前記レバー歯車の径が、前記本体歯車の径に比べ小さいことを特徴とする請求項１又は２に記載の固縛工具。
【請求項４】
前記しの工具取付具は、しの工具の先端部を下向きとし、水平面に対ししの工具の軸線が５度から１５度傾斜するようにしの工具を取り付けることを特徴とする請求項１から３のいずれか１に記載の固縛工具。
【請求項５】
前記しの工具取付具は、平面視において、前記回転軸の貫通孔の中心に対し、しの工具の軸線がずれるようにしの工具を取り付けることを特徴とする請求項１から４のいずれか１に記載の固縛工具。
【請求項６】
前記しの工具取付具は、しの工具を取り付けるための取付口を円周方向に複数個備えることを特徴とする請求項１から５のいずれか１に記載の固縛工具。
【請求項７】
前記針金把持具は、２つの部材で針金を挟み込むペンチ型、又は２つのローラで針金を挟み込むローラ型の針金把持具であり、
前記針金把持具で前記上部保持板の上方に突出する針金を挟み、針金を上方に引き上げ、針金の緩みを取り去ることが可能なことを特徴とする請求項１から６のいずれか１に記載の固縛工具。
【請求項８】
さらに前記ローラ型の針金把持具は、ローラを回転させる電動モータを備えることを特徴とする請求項７に記載の固縛工具。
【請求項９】
前記手動レバーに代え、前記レバー歯車を回転させる電動モータを備えることを特徴とする請求項１から８のいずれか１に記載の固縛工具。
【発明の詳細な説明】
【技術分野】
【０００１】
本発明は、孟宗竹などで作られる牡蠣筏など筏の格子状骨組みを、針金で固く縛るための固縛工具に関する。
【背景技術】
【０００２】
牡蠣筏は、孟宗竹などを格子状に組合せ、格子部分を針金で固く縛り、底面に発泡スチロールなどの浮きを取り付けることで作られており、古くなると作り替える必要がある。牡蠣筏の組み立ては、孟宗竹などを例えば縦約１０ｍ、横約２０ｍの格子状に配置し、格子部分に直径が４ｍｍ程度の太い針金を巻きつけ、作業者がしの工具を用いて針金をねじり固定することで行われる。針金の固定は、具体的には次のように行われる。固縛用の針金は、通常の針金を一定の長さに切り両端を揃え、Ｕ字型に曲げたヘアーピン形状のものである。しの工具は、把持部の先端に、先端に向って細くなったテーパ状部が設けられた工具であり、従来から針金の固縛によく使用されている。作業者は、格子部分に針金のＵ字部分及び他端が上方に向くように巻き付け、Ｕ字部分にしの工具を通し、針金の他端を手で引き上げる。次に、作業者は、引上げている針金にしの工具の先端を引っ掛け、同時にしの工具を一方向に回転させ、お互いの針金を巻きつけることで格子部分を固く縛る。
【０００３】
このような作業を行うには、大きな力を必要とする。また牡蠣筏では、通常、一台当たり約４５０箇所の格子部分があり固縛作業に多くの労力を要する。牡蠣筏の固縛作業は、力仕事を必要とし、同時に長時間を要する重労働であるため、女性、老人などには難しい作業である。また、しの工具の取扱いには熟練した技術が必要であるため作業者が限定される。さらに筏の上での作業は不安定で作業性が悪いことなどから、容易に固縛作業ができる工具が望まれている。
【０００４】
これまでに針金を簡単に結束するための工具が提案されている。例えば、外周に螺旋溝を有し先端にＣ型フックを有する回転子を筒状の固定子に配設し、回転子を一方向にのみ回転させ針金を捩じる針金結束具がある（例えば特許文献１参照）。
【先行技術文献】
【特許文献】
【０００５】
【特許文献１】特開２００１−９７５１号公報
【発明の概要】
【発明が解決しようとする課題】
【０００６】
特許文献１に記載の工具では、結束部を針金で縛る場合、予め手で針金をねじりＣ型フックを引っ掛けるためのねじり部を作る必要があり、強い力が要求される。また、作業者は、中腰で固定子を上方に引っ張り、Ｃ型フックで針金をねじり縛ることになる。そのため作業体勢が不安定となり、手が滑った場合などには怪我をする危険がある。
【０００７】
本発明の目的は、孟宗竹などを格子状に組んだ筏の格子部を針金で縛るときに、大きな力を必要とせず、また迅速に固縛作業を進めることができる固縛工具を提供することである。
【課題を解決するための手段】
【０００８】
本発明は、しの工具を回転させ筏の格子状部を針金で縛る筏用の固縛工具であって、中央部に回転軸の軸受部を有する上部保持板と、中央部に回転軸の軸受部を有し、前記上部保持板の下部に所定の間隔を持って取り付けられた下部保持板と、前記２つの軸受部に回転自在に嵌り込み、中心部を針金が挿通する貫通孔を備えるパイプ状の回転軸と、前記回転軸と一体的に回転するラチェット歯車と、前記回転軸に回転自在に嵌め込まれた本体歯車と、前記本体歯車の一方向の回転運動を前記ラチェット歯車に伝える可動爪と、前記ラチェット歯車の前記回転方向と逆方向の回転を防止する固定爪と、前記本体歯車と噛み合い前記本体歯車を回転させるレバー歯車と、前記上部保持板に回動自在に取り付けられ前記レバー歯車を正逆方向に回転させる手動レバーと、前記下部保持板の下方で前記回転軸に固定され回転軸と一体的に回転する、しの工具を取り付けるためのしの工具取付具と、前記上部保持板及び前記下部保持板の側方に設けられたハンドルと、前記ハンドルの後端に設けられた押え具と、前記上部保持板の上方に突出する針金を挟む針金把持具と、を備えることを特徴とする固縛工具である。
【０００９】
また本発明は、前記固縛工具において、さらに先端に向って細くなったテーパ部と前記テーパ部の先端に設けられた同一の太さの円柱部とを有する、前記しの工具取付具に取り付け使用するしの工具を備えることを特徴とする。
【００１０】
また本発明は、前記固縛工具において、前記レバー歯車の径が、前記本体歯車の径に比べ小さいことを特徴とする。
【００１１】
また本発明は、前記固縛工具において、前記しの工具取付具は、しの工具の先端部を下向きとし、水平面に対ししの工具の軸線が５度から１５度傾斜するようにしの工具を取り付けることを特徴とする。
【００１２】
また本発明は、前記固縛工具において、前記しの工具取付具は、平面視において、前記回転軸の貫通孔の中心に対し、しの工具の軸線がずれるようにしの工具を取り付けることを特徴とする。
【００１３】
また本発明は、前記固縛工具において、前記しの工具取付具は、しの工具を取り付けるための取付口を円周方向に複数個備えることを特徴とする。
【００１４】
また本発明は、前記固縛工具において、前記針金把持具は、２つの部材で針金を挟み込むペンチ型、又は２つのローラで針金を挟み込むローラ型の針金把持具であり、前記針金把持具で前記上部保持板の上方に突出する針金を挟み、針金を上方に引き上げ、針金の緩みを取り去ることが可能なことを特徴とする。
【００１５】
また本発明は、前記固縛工具において、さらに前記ローラ型の針金把持具は、ローラを回転させる電動モータを備えることを特徴とする。
【００１６】
また本発明は、前記固縛工具において、前記手動レバーに代え、前記レバー歯車を回転させる電動モータを備えることを特徴とする。
【発明の効果】
【００１７】
本発明の固縛工具は、しの工具取付具にしの工具を取り付け、手動レバーを回動させると、レバー歯車、本体歯車、さらにはラチェット歯車を介して、しの工具が一方向に回転するので、筏の格子部を針金で簡単にまた強固に縛ることができる。また、手動レバーの長さを長くすることで、てこの効果が増大し、軽い手動レバー操作により針金を強固に縛ることができる。また、手動レバーを回動させる操作は、操作性が良く、片手で容易に操作することができる。従来のしの工具で針金を固縛する方法は、重労働であると同時に、熟練した技が必要であったが、本固縛工具は、使用に際し特殊な技術を必要とせず、一般の作業者でも簡単に固縛作業ができる。
【００１８】
また本発明によれば、先端に向って細くなったテーパ部とテーパ部の先端に設けられた同一の太さの円柱部とを有するしの工具を備えるため、針金を縛るときに、しの工具に通されている針金のＵ字部がテーパ部をすべり円柱部に移動するので、簡単に相手側の針金に近づき、結束する針金の間隔が狭くなり、弱い力で簡単に針金を結束することが出来る。
【００１９】
また本発明によれば、レバー歯車の径が本体歯車の径に比べ小さいので、てこの効果を増大させることができ、強い締め付け力をしの工具に与えることができる。単に、手動レバーを長くし、てこの効果を増大させた場合、長い手動レバーが邪魔で操作性が悪くなることがあるが、レバー歯車と本体歯車の径比を適正にし、操作性の良い手動レバー長を選定することで、実用的なてこの効果を得ることができ、針金を強固に締め付けることができる。よって女性など力の弱い人でも容易に作業をすることができる。
【００２０】
また本発明によれば、しの工具取付具は、しの工具の先端部を下向きとし、水平面に対ししの工具の軸線が５度から１５度傾斜するようにしの工具を取り付けるので、しの工具の先端が筏の格子部の直上で針金を捕らえ巻き付けることができる。このため少ない巻き付け回数で強固に固縛することができる。
【００２１】
また本発明によれば、しの工具取付具は、平面視において、回転軸の貫通孔の中心に対し、しの工具の軸線がずれるようにしの工具を取り付けるため、しの工具を取り付けるとき、相手側の針金にぶつからず直ちに固縛作業を行うことができる。
【００２２】
また本発明によれば、しの工具取付具は、しの工具を取り付けるための取付口を円周方向に複数個備えるので、しの工具の先端を相手側針金を巻き付ける位置となる取付口に取り付けることで、手動レバーの操作の回数を低減でき、効率的に針金を固縛することができる。
【００２３】
また本発明によれば、針金把持具は、２つの部材で針金を挟み込むペンチ型、又は２つのローラで針金を挟み込むローラ型の針金把持具であり、針金把持具で上部保持板の上方に突出する針金を挟み、針金を上方に引き上げ、針金の緩みを取り去ることが可能であるため、針金に緩みがない状態で強固に筏を針金で縛ることができ、巻く回数を低減させることができる。
【００２４】
また本発明によれば、ローラ型の針金把持具は、ローラを回転させる電動モータを備えるため、針金を引上げ緩みを取る労力が不要になり作業性が向上する。また力の弱い人でも楽に固縛作業を行える。
【００２５】
また本発明によれば、手動レバーに代え、レバー歯車を回転させる電動モータを備えるため、レバー操作が不要になり楽に固縛作業を行える。
【図面の簡単な説明】
【００２６】
【図１】本発明の第１実施形態としての牡蠣筏に設置した牡蠣筏固縛工具１の全体構成を示す斜視図である。
【図２】図１の牡蠣筏固縛工具１の内部の構成を示す斜視図である。
【図３】図１の牡蠣筏固縛工具１のラチェット歯車１１、可動爪９及び固定爪１３を備えたラチェット機構を示す図である。
【図４】図１の牡蠣筏固縛工具１の平面図である。
【図５】図１の牡蠣筏固縛工具１に取り付け使用するしの工具１７の平面図である。
【図６】本発明の第２実施形態としての牡蠣筏に設置した牡蠣筏固縛工具２の全体構成を示す斜視図である。
【発明を実施するための形態】
【００２７】
図１は、本発明の第１実施形態としての牡蠣筏に設置した牡蠣筏固縛工具１の全体構成を示す斜視図である。図２は、牡蠣筏固縛工具１の内部の構成を示す斜視図である。図３は、牡蠣筏固縛工具１のラチェット歯車１１、可動爪９及び固定爪１３を備えたラチェット機構を示す図であり、上部保持板３１、本体歯車７及び第１プレート６５を取り去り、上方から見た図である。図４は、牡蠣筏固縛工具１の平面図である。図５は、牡蠣筏固縛工具１に取り付け使用するしの工具１７の平面図である。なお、図１は、内部が見えるように側板３５を一部取り去った状態で示している。
【００２８】
牡蠣筏固縛工具１は、大略的には、手動レバー３を回動させることで、レバー歯車５、本体歯車７、さらにはラチェット歯車１１を介してしの工具１７を一方向に回転させ、回転するしの工具１７で孟宗竹１９の格子部に取り付けられた針金２１を強固に縛る固縛工具である。
【００２９】
牡蠣筏固縛工具１は、上部保持板３１と下部保持板３３とを備え、上部保持板３１及び下部保持板３３は、これらの間に所定の間隔が形成されるように左右２つのブロック状のスペーサ３４ａ、３４ｂに取り付けられている。２つのスペーサ３４ａ、３４ｂの内側には、円形状の側板３５が設けられている。上部保持板３１は、中央部にラチェット歯車１１の中心軸３７が嵌り込み、これを回転自在に保持するための軸受部３９が穿設され、端部にはレバー歯車５のレバー歯車軸４１が嵌り込み、これを回転自在に保持するための軸受部（図示省略）が穿設されている。下部保持板３３は、中央部にラチェット歯車１１の中心軸３７が嵌り込み、これを回転自在に保持するための軸受部（図示省略）が穿設され、端部にはレバー歯車軸４１が嵌り込み、これを回転自在に保持するための軸受部４５が穿設されている。
【００３０】
手動レバー３は、本体歯車７に噛み合うレバー歯車５を駆動するものであり、握り棒６１及び操作棒６３から構成される。握り棒６１は、回転自在に操作棒６３に取り付けられており、握り棒６１を手で握り手動レバー３を容易に回動させることができる。操作棒６３は、先端が、上部保持板３１から突出したレバー歯車軸４１の上端に固定されている。操作棒６３は、特定の長さに限定されるものではない。長さを長くすることによりてこの効果を増すことができるので、手動レバー３の操作性を考慮し長さを決めればよい。
【００３１】
レバー歯車５は、手動レバー３と一体的に回動し、噛み合う本体歯車７を回動させる。レバー歯車５は、レバー歯車軸４１を介して、上部保持板３１及び下部保持板３３の間に時計回り、反時計回りの両方に回転自在に取り付けられている。レバー歯車５の直径は、本体歯車７の直径に比較し小さい。本体歯車７の直径に比べレバー歯車５の直径を小さくすることで、てこの効果を増大でき、手動レバー３を軽く動かすだけで、大きな力に変えレバー歯車５から本体歯車７に伝達できる。単に、手動レバー３を長くし、てこの効果を増大させた場合、長い手動レバー３が邪魔で操作性が悪くなることがあるが、レバー歯車５と本体歯車７との径比を適正にし、操作性の良い手動レバー３の長さを選定することで、小さな力で強固に針金２１を縛り付けることができる。よって女性など力の弱い人でも容易に作業をすることができる。なお、手動レバー３と本体歯車７の回転方向を一致させるために、レバー歯車５と本体歯車７との間にさらに歯車を取り付けてもよい。
【００３２】
本体歯車７は、ラチェット歯車１１の中心軸３７に回転自在に嵌り込んでおり、上部保持板３１及び下部保持板３３の間の上方に位置する。本体歯車７の下面には、第１プレート６５が取り付けられており、第１プレート６５の下方には一定間隔を保ち第２プレート６７が取り付けられている。本体歯車７と、第１プレート６５及び第２プレート６７は一体的に回転する。
【００３３】
本体歯車７は、レバー歯車５に噛み合い、手動レバー３の回動操作に伴い、時計回り、反時計回りに回転する。それに伴い第１プレート６５及び第２プレート６７は一体的に回転するが、９０°の範囲内でのみ回動可能にストッパー６４が設けられている。反時計回りに回転すると、第１プレート６５及び第２プレート６７の第１突出部６６がストッパー６４に接触し、時計回りに回転すると、第１プレート６５及び第２プレート６７の第２突出部６８がストッパー６４に接触する。ストッパー６４を設けることで第１プレート６５等のレバー歯車５への接触を防止し、レバー歯車５の破損を防止する。
【００３４】
ラチェット歯車１１は、中心軸３７を備え、この中心軸３７が上部保持板３１の軸受部３９及び下部保持板３３の軸受部に回転自在に嵌り込んでいる。回転軸３７は、中心部に針金２１が挿通する貫通孔７５が設けられ、下端が下部保持板３３からわずかに突出するように取り付けられている。ラチェット歯車１１は、可動爪９及び固定爪１３を含みラチェット機構を構成する。本実施形態では、ラチェット歯車１１と中心軸３７とが一体的に形成されているが、ラチェット歯車１１と中心軸３７とを別々に製作し、これらを固定したものであってもよい。本実施形態では、中心軸３７が回転軸３７である。
【００３５】
可動爪９は、先端の爪を揺動可能に、後端部が支持ピン４３を介して第１プレート６５及び第２プレート６７の間に取り付けられている。可動爪９の先端の爪は、バネ板６９でラチェット歯車１１の歯面に押し付けられている。可動爪９は、本体歯車７と一体的に動き、本体歯車７が時計回りに回転すると、先端の爪がラチェット歯車１１の歯に噛み込みラチェット歯車１１を回転させる。逆に、本体歯車７が反時計回りに回転すると可動爪９の先端がラチェット歯車１１の歯面を滑り、ラチェット歯車１１を回転させない構造になっている。なお、先のラチェット歯車１１の回転方向は逆であってもよい。
【００３６】
固定爪１３は、先端の爪を揺動可能に、後端部が支持ピン４４を介して上部保持板３１の下部に取り付けられている。固定爪１３の先端は、バネ板７１でラチェット歯車１１の歯面に押し付けられている。固定爪１３は、可動爪９とは異なり、本体歯車７と一体的に動かず、本体歯車７が時計回りに回転すると、先端の爪がラチェット歯車１１の歯面を滑る。逆に、本体歯車７が反時計回りに回転すると固定爪１３の先端がラチェット歯車１１の歯に噛み込みラチェット歯車１１を回転させない構造になっている。なお、先のラチェット歯車１１の回転方向は逆であってもよい。
【００３７】
作業者が手動レバー３をハンドル２５に近づけたとき、図１では反時計回りに手動レバー３を回転させると、本体歯車７の回転運動が可動爪９を介してラチェット歯車１１に伝えられる。また、逆に手動レバー３をハンドル２５から遠ざけたとき、図１では時計回りに手動レバー３を回転させると、本体歯車７及び可動爪９は逆回転するため、回転運動はラチェット歯車１１に伝えられない。また、固定爪１３でラチェット歯車１１の逆回転が防止されるため、これによりラチェット歯車１１を一方向のみに回転させることができる。
【００３８】
しの工具取付具１５は、しの工具１７を取り付けるためのものであり、下部保持板３３から突出しているラチェット歯車１１の中心軸３７にボルト止めされている。しの工具取付具１５は、しの工具１７を挿入し固定するための取付口７４が設けられたしの工具取付板７３を円周方向に３つ備える。ここではしの工具取付板７３が３つの例を示したが、数は特に限定されない。しの工具１７を挿入し固定するための取付口７４を複数設けることで、しの工具１７の先端を相手側針金２１の巻き側に近づけることができる。しの工具取付具１５は、一方向にしか回転しないため、しの工具１７の先端が相手側針金２１の反巻き側に位置すると、針金２１を巻くまでにしの工具１７を相手側針金２１の巻き側まで移動させる必要がある。相手側針金２１の巻き側に近いしの取付口７４を選択することで、手動レバー操作を低減でき、効率的に針金２１を固縛することができる。
【００３９】
また、しの工具取付具１５は、しの工具１７の先端部を斜め下向きに取り付けるため、しの工具取付板７３が、しの工具１７の軸線が水平面に対し５度から１５度傾斜するように取り付けられている。しの工具１７の先端部を斜め下向きに取り付けることで、しの工具１７の先端が牡蠣筏の孟宗竹１９の直上で針金２１を捕らえ巻き付け、巻き付け回数も少なく固縛作業を迅速に終わらせることができる。
【００４０】
また、しの工具取付具１５は、平面視において、しの工具１７を取り付けたとき、中心軸３７の貫通孔７５の中心に対し、しの工具１７の軸線がずれるようにしの工具取付板７３が取り付けられている。このようにすることで、しの工具１７を取り付けるとき、相手側の針金２１にぶつからず直ちに固縛作業を行うことができる。
【００４１】
しの工具１７は、把持部７６に続き先端に向って細くなったテーパ部７７と前記テーパ部の先端に設けられた同一の太さの円柱部７９とを有する。把持部７６とテーパ部７７との間には凹溝８０が設けられ、しの工具１７をしの工具取付具１５に取り付けると、凹溝８０が取付口７４に設けられたボールプランジャに嵌り込み固定される。しの工具１７を上記形状とすることで、針金を縛るときに、しの工具１７に通されている針金２１のＵ字部がテーパ部７７をすべり円柱部７９に移動するので、簡単に相手側の針金２１に近づき、結束する針金２１の間隔が狭くなり、弱い力で簡単に針金２１を巻き付けることが出来る。
【００４２】
牡蠣筏固縛工具１には、使用の際に手で掴み牡蠣筏固縛工具１を保持するためのハンドル２５を備える。ハンドル２５は、手で容易に持てるパイプ状の部材であり、先端部がスペーサ３４ａに固定されている。ハンドル２５は、内部にしの工具１７の収納部２６を有し、後端部からしの工具１７を挿入することで、しの工具１７を収納することができる。
【００４３】
ハンドル２５の後端部には、折りたたみ可能な棒状の押え具８１が取り付けられている。図１において作業者が手動レバー３を手前、反時計回りに回転させると、しの工具１７は時計回りに回転しながら針金２１を巻き付ける。この時、牡蠣筏固縛工具１も反時計回りに回転しようとするため、手動レバー３を反時計回りに回転させるには、ハンドル２５をしっかりと固定しておく必要がある。この押え具８１を孟宗竹１９に引っ掛けることで、ハンドル２５を楽に固定することができる。
【００４４】
また、上部保持板３１の上部には針金把持具２３が取り付けられている。針金把持具２３は、中心軸３７の貫通孔７５から突出する針金２１を掴むためのものである。針金把持具２３は、工具のペンチのような構造からなり、押し棒８３と受け板８５とを有する。押し棒８３と受け板８５とで針金２１を挟み込む。押し棒８３は、先端部寄りに設けられた支持ピン８４を介して上部保持板３１に取り付けられ、押し棒８３は、支持ピン８４を中心に回動自在である。受け板８５は、中心軸３７の貫通孔７５の直ぐ横に固定されている。ハンドル２５と押し棒８３とを互いが近づくように握ると、押し棒８３の先端部８６が受け板８５に近づき針金２１を挟み込む。
【００４５】
牡蠣筏固縛工具１の使用方法を説明する。作業者は、一本の針金を中央部で折り曲げＵ字部を設けたヘアピン状の針金２１を用い、格子状に並べた孟宗竹１９の格子部にＵ字部と端部が上を向くように巻き付ける。その後、作業者は、牡蠣筏固縛工具１を結束する針金２１の上に移動させる。しの工具１７をしの工具取付具１５に取り付け、同時に針金２１のＵ字部を通す。一方、針金２１の端部は、中心軸３７の貫通孔７５に通し、端部が上部保持板３１から突出するようにする。上部保持板３１から突出した針金２１を針金把持具２３で掴み、ハンドル２５の後方を持ち上げ、針金２１を引き上げ緩みを無くす。このときハンドル２５と反対側のしの工具取付具１５が支点となり、少ない力で針金２１を引き上げることができる。
【００４６】
次に手動レバー３を反時計回りに回転させると、レバー歯車５を介して本体歯車７が時計回りに回転する。本体歯車７の回転運動は可動爪９を介してラチェット歯車１１に伝えられる。一方、手動レバー３を時計回りに回転させると本体歯車７は反時計回りに回転するが、可動爪９がラチェット歯車１１の歯面を滑るため本体歯車７の回転運動はラチェット歯車１１に伝達されない。手動レバー３を回動させるとラチェット歯車１１の中心軸３７に取り付けられているしの工具取付具１５及びしの工具１７が時計回りに回転し、針金２１のＵ字部を相手側の針金２１に巻きつけ格子部を強く固縛する。
【００４７】
図２は、本発明の第２実施形態としての牡蠣筏に設置した牡蠣筏固縛工具２の全体構成を示す斜視図である。なお図２は、図１と同様に、内部が見えるように側板３５を一部取り去った状態で示している。第１実施形態に示す牡蠣筏固縛工具１と同一の構成には、同一の符号を付して説明を省略する。第２実施形態に示す牡蠣筏固縛工具２と第１実施形態に示す牡蠣筏固縛工具１との基本的な構成は同じである。第１実施形態に示す牡蠣筏固縛工具１がペンチ様の針金把持具２３であったのに対し、第２実施形態に示す牡蠣筏固縛工具２ではローラ型の針金把持具８７を採用する。
【００４８】
ローラ型の針金把持具８７は、電動式の針金把持具であり、電動モータ９１、ウォーム９２、ウォームホイール９３、電動ローラ９５及び押えローラ９７を備える。電動ローラ９５は、中心軸３７の貫通孔７５の直ぐ横の上部保持板３１上に軸受台９６を介して回転自在に取り付けられている。電動ローラ９５の中心軸の一端部には、ウォームホイール９３が取り付けられ、他端には、押えローラ９７を駆動するためのギア８８が取り付けられている。電動モータ９１は、取付台８９を介して上部保持板３１上に固定され、先端に取り付けられたウォーム９２を介して電動ローラ９５を回転駆動させる。
【００４９】
押えローラ９７は、押し棒９９の先端部に設けられた軸受台９４を介して回転自在に取り付けられている。押し棒９９は、先端部寄りに設けられた支持ピン（図示省略）を介して上部保持板３１に取り付けられ、押し棒９９は、支持ピンを中心に回動自在である。押えローラ９７の中心軸の一端部には、電動ローラ９５に取り付けられたギア８８と噛み合うギア９０が取り付けられている。
【００５０】
第１実施形態の針金把持具２３と同様に、針金２１の端部を中心軸３７の貫通孔７５から突出した状態でハンドル２５と押し棒９９とを互いが近づくように握ると、押し棒９９の先端部に設けられた押えローラ９７と電動ローラ９５とで針金２１を挟み込む。同時に互いのギア８８、９０が噛み合う。この状態で電動モータ９１を駆動させるとウォーム９２、ウォームホイール９３を介して電動ローラ９５が回転し、さらにギア８８、９０を介して押えローラ９７が回転する。この２台のローラの回転により針金２１は上方へ引き上げられ、針金２１の緩みはなくなる。このように第２実施形態の牡蠣筏固縛工具２では、電動式の針金把持具８７を採用するため非常に簡単に針金２１の緩みを取りさることができる。
【００５１】
上記のように牡蠣筏固縛工具１、２を使用することで簡単に牡蠣筏を固縛することができる。手動レバー３を回動させることでしの工具１７を一方向に回転させることができるので、操作性が非常によい。通常、しの工具１７で針金２１を固縛するには大きな力を必要とするが、牡蠣筏固縛工具１、２では、レバー歯車５と本体歯車７との歯車比を適正に設定し、手動レバー３の長さを長くしてあるので、大きな力を必要としない。またしの工具１７で針金２１を固縛するとき、針金２１が緩み、針金２１と孟宗竹１９との間に大きな隙間があると、針金２１を強固に縛ることができないが、牡蠣筏固縛工具１、２は、針金把持具２３、８７を備えるので、簡単に針金２１の緩みを取り去ることができ、針金２１を強固に縛ることができる。
【００５２】
上記実施形態では、レバー歯車５を手動レバー３で駆動していたが、手動レバー３に代え、レバー歯車５を電動モータで回転駆動させてもよい。これにより楽に針金２１を固縛することができる。また、上記実施形態では、孟宗竹１９を用いた牡蠣筏を固縛する牡蠣筏固縛工具１、２を示したが、本発明に係る固縛工具は、上記牡蠣筏以外の筏の固縛にも使用できることは言うまでもない。例えば真珠養殖用の筏、魚釣りなどで使用される筏を製作する際にも、本発明に係る固縛工具を使用することで簡単に又迅速に固縛作業を進めることができる。筏の材料も孟宗竹に限定されず、他の竹、さらには木であってもよい。
【符号の説明】
【００５３】
１    牡蠣筏固縛工具
２    牡蠣筏固縛工具
３    手動レバー
５    レバー歯車
７    本体歯車
９    可動爪
１１  ラチェット歯車
１３  固定爪
１５  しの工具取付具
１７  しの工具
１９  孟宗竹
２１  針金
２３  針金把持具
２５  ハンドル
３１  上部保持板
３３  下部保持板
３７  回転軸
３９  軸受部
４１  レバー歯車軸
４５  軸受部
７３  しの工具取付板
７４  取付口
７５  貫通孔
７７  テーパ部
７９  円柱部
８１  押え具
８３  押し棒
８５  受け板
８７  針金把持具
９１  電動モータ
９５  電動ローラ
９７  押えローラ
【図１】
2012101323.tif 000003
【図２】
2012101323.tif 000004
【図３】
2012101323.tif 000005
【図４】
2012101323.tif 000006
【図５】
2012101323.tif 000007
【図６】
2012101323.tif 000008